(57)【特許請求の範囲】
【請求項１】
冷媒の圧縮および膨張を行うことにより冷凍を発生する冷凍機において、
この冷凍機の構成部品を固定するためのネジのロックを行う冷凍機におけるネジロック方法であって、
前記ネジにネジロック剤を塗布した上で該ネジをベーキングののち、前記構成部品との組立てを行うことを特徴とする冷凍機におけるネジロック方法。
【請求項２】
前記ネジロック剤は、これをポリアミド樹脂剤としたことを特徴とする請求項１記載の冷凍機におけるネジロック方法。
【発明の詳細な説明】
【０００１】
【発明の属する技術分野】
本発明は冷凍機におけるネジロック方法にかかるもので、とくにガス圧縮機を備えて冷凍を発生させるスターリング冷凍機その他の冷凍機におけるネジロック方法に関するものである。
【０００２】
【従来の技術】
シリンダーおよびピストンの相互作用により、ヘリウムガスなどの冷媒ガスを圧縮および膨張させて冷凍を作り出すスターリング冷凍機その他の冷凍機において、シリンダーおよびピストンを駆動するための駆動部、その他の構成部品を固定あるいは接合するために各種のネジないしボルト（以下、単に「ネジ」という）が使用されている。
冷凍機としては、たとえば、特開平５−２１５４２３号などがある。
【０００３】
ネジを使用する場合には、バネ座金具を用いたり、あるいはネジ締付けトルクを管理することにより、ネジの緩み防止を行っている。
冷凍機の通常運転時における冷凍機内部での振動その他によるネジの緩みの問題のほかに、たとえば冷凍機が赤外線カメラなどに組み込まれ、車両および飛行機などの移動体に取り付けられて使用されるような場合には、外部からの振動および衝撃が加わったときのネジの緩み防止対策としては万全とは言えないという問題がある。
【０００４】
なお、ネジの緩み対策のひとつして、ネジを締め付けたあとに塗布する接着剤などによるネジロックを用いる方法もあるが、構成部品を組み立てたあとに修正を必要とする場合には、接着剤を軟化して除去する手間がかかるという問題がある。
また、ネジロックにワイヤーを用いるワイヤーロック方式では、上記接着剤のような軟化および除去に手間がかかるということはないが、ベーキング処理に関して費用および手間がかかる。
【０００５】
以下、図３にもとづき概説する。
図３は、冷凍機を製造する工程について、ネジロックの観点から流れを説明するフローチャート図であって、構成部品の受入れ（ステップＳ１）および洗浄（ステップＳ２）ののち、ネジを含む各種の構成部品について第１回目のベーキングを行う（ステップＳ３）。
このベーキングは、金属その他の構成部品に吸着あるいは付着しているガスを、低温で加熱することにより除去するもので、とくに極低温の冷凍を発生する冷凍機の構成部品については、構成部品から出る不純ガスが液化ないし固化してコールドヘッドその他の低温端部に付着し、熱交換機能を機能不全に陥らせる可能性があるため、必須の工程である。
【０００６】
ベーキングののち、冷凍機の主要部を組み立て（ステップＳ４）、第１回目のテストを行い（ステップＳ５）、試運転が良好であれば、ワイヤーロック方式などによるネジロックを行う（ステップＳ６）。
ネジロックののち、第２回目のベーキングを行って（ステップＳ７）、ネジロックによる不純ガスの侵入吸着を回避する。
【０００７】
最後にカバーその他必要な部分の溶接を行い（ステップＳ８）、第２回目のテストを行って（ステップＳ９）、出荷する（ステップＳ１０）。
【０００８】
要するに従来のネジロック方法では、ステップＳ３における第１回目のベーキングおよびステップＳ７の第２回目のベーキングが二重に必要であって、工程数が多いこと、およびこれにともなうコスト上昇の問題がある。
【０００９】
【発明が解決しようとする課題】
本発明は以上のような諸問題にかんがみなされたもので、とくにワイヤーロック方式などにおけるネジロック方法にかかる費用および手間を低減した冷凍機におけるネジロック方法を提供することを課題とする。
【００１０】
また本発明は、振動や衝撃による冷凍機への内部あるいは外部からの外力からネジが緩まないようにする冷凍機におけるネジロック方法を提供することを課題とする。
【００１１】
また本発明は、構成部品の組立て工程とネジロック工程とを同時に進めることが可能な冷凍機におけるネジロック方法を提供することを課題とする。
【００１２】
【課題を解決するための手段】
すなわち本発明は、ネジに当初から、たとえばポリアミド樹脂ないしはナイロン６６その他のネジロック剤を塗布しておくこと、およびネジをあらかじめベーキングすることによりネジロック後のベーキングを不要とすることができることに着目したもので、冷媒の圧縮および膨張を行うことにより冷凍を発生する冷凍機において、この冷凍機の構成部品を固定するためのネジのロックを行う冷凍機におけるネジロック方法であって、上記ネジにネジロック剤を塗布したのち、上記構成部品との組立てを行うことを特徴とする冷凍機におけるネジロック方法である。
【００１３】
上記ネジに上記ネジロック剤を塗布し、ベーキングののち、上記構成部品との組立てを行うことができる。
【００１４】
上記ネジロックは、これをワイヤーにより行うことができる。
【００１５】
上記ネジロック剤は、これをポリアミド樹脂剤とすることができる。
【００１６】
本発明による冷凍機におけるネジロック方法においては、ネジに当初からネジロック剤を塗布しておき、ネジをあらかじめベーキングすることによりネジロック後のベーキングを不要とすることができるので、ネジの緩み防止構造を確保しつつ、冷凍機の製造における工程の一部を省略し、コストおよび手間を低減することができる。
【００１７】
【発明の実施の形態】
つぎに本発明による冷凍機におけるネジロック方法を図１および図２にもとづき説明する。
図１は、図３と同様の、冷凍機を製造する工程について、本発明におけるネジロックの観点から流れを説明するフローチャート図であって、構成部品の受入れ（ステップＳ１１）および洗浄（ステップＳ１２）ののち、ネジを含むそれぞれの部品についてベーキングを行う（ステップＳ１３）。
【００１８】
ベーキングののち、冷凍機の主要部を組み立てる（ステップＳ１４）。
ただし、図２は、ネジ１（ボルト）の側面図であって、図示のように、この組立て工程に使用されるネジ１には、たとえばポリアミド樹脂ないしはナイロン６６その他の樹脂剤などからなるネジロック剤２が少なくともそのネジ山１Ａ部分に所定厚さに、あらかじめ塗布されているので、ネジロック材２の弾性ないし柔軟性によってネジ１の締め付けと同時にネジロックが完了し、ネジ穴からのネジ１の緩み、あるいは構成部品との間の取付け状態の緩みの発生を回避することができる。
すなわち、構成部品の組立て工程とネジロック工程とを同時に進めることができ、従来のようなワイヤーロックをかける必要がなく、結果としてネジロック後のワイヤーのためのベーキングも不要となる。
【００１９】
つぎに第１回目のテストを行い（ステップＳ１５）、試運転が良好であれば、冷凍機のカバーその他必要な部分の溶接を行い（ステップＳ１６）、第２回目のテストを行って（ステップＳ１７）、出荷する（ステップＳ１８）。
【００２０】
かくして、図３に示したような従来必要であったネジロック工程（ステップＳ６）および第２回目のベーキング（ステップＳ７）を省略することができ、費用および手間を省いて冷凍機の製造コストを低減することができる。
【００２１】
【発明の効果】
以上のように本発明によれば、ネジにあらかじめネジロック剤を塗布して組立てを行うようにしたので、組立てと同時にネジロックを完了することができ、ベーキング処理回数を少なくしてコストおよび作業性を改善することができる。
【図面の簡単な説明】
【図１】本発明による冷凍機におけるネジロック方法を、冷凍機を製造する工程について、ネジロックの観点から説明するフローチャート図である。
【図２】同、ネジ１の側面図である。
【図３】冷凍機を製造する工程について、ネジロックの観点から流れを説明するフローチャート図である。
【符号の説明】
１  ネジ（ボルト、図２）
１Ａ  ネジ１のネジ山
２  ネジロック剤（図２）
【図１】
0003726233.tif 000002
【図２】
0003726233.tif 000003
【図３】
0003726233.tif 000004